(57)【要約】【課題】組立が容易にでき、且つ見栄えを良好にすることができるクリップ取付構造を提供する。【解決手段】クリップ３０が被取付部材のクリップベース部１８ａに揺動可能に軸支されると共に、互いにほぼ直交する一端部３２ａと他端部３２ｂとを備えるＬ字状弾性体３２の一端部３２ａがクリップ３０を押圧可能にクリップ３０に沿って設けられ、他端部３２ｂが前記クリップベース部１８ａに固定されて、Ｌ字状弾性体３２の弾性力により、クリップ３０の一端部と被取付部材との間で挟着力を発生させる。【選択図】図３
2007230053.tif 000002
【特許請求の範囲】
【請求項１】
被取付部材に揺動可能なクリップが取り付けられるクリップ取付構造において、
クリップが被取付部材のクリップベース部に揺動可能に軸支されると共に、互いにほぼ直交する一端部と他端部とを備えるＬ字状弾性体の一端部がクリップを押圧可能にクリップに沿って設けられ、他端部が前記クリップベース部に固定されて、前記Ｌ字状弾性体の弾性力により、クリップの一端部と被取付部材との間で挟着力を発生させることを特徴とするクリップ取付構造。
【請求項２】
前記Ｌ字状弾性体はクリップの表裏を貫通する貫通孔を通り、Ｌ字状弾性体の一端部はクリップの表側に形成されてクリップの長手方向に伸びる長溝内に収められることを特徴とする請求項１記載のクリップ取付構造。
【請求項３】
前記Ｌ字状弾性体の一端部は、クリップの裏側に形成されてクリップの長手方向に伸びる長溝内に収められることを特徴とする請求項１記載のクリップ取付構造。
【請求項４】
前記Ｌ字状弾性体の他端部は、クリップベース部に設けられた取付孔に挿入されることを特徴とする請求項１ないし３のいずれか１項に記載のクリップ取付構造。
【請求項５】
前記Ｌ字状弾性体の他端部の先端には、折り返し部が形成されており、該折り返し部が前記取付孔に圧縮された状態で挿入されることを特徴とする請求項４記載のクリップ取付構造。
【請求項６】
前記折り返し部の先端は、取付孔に形成された係止段部に係止されることを特徴とする請求項５記載のクリップ取付構造。
【請求項７】
前記クリップベース部及びクリップのいずれか一方には凸部が形成され、他方には凹部が形成されて、該凸部と凹部との間の嵌合により、クリップがクリップベース部に軸支されることを特徴とする請求項１ないし６のいずれか１項に記載のクリップ取付構造。
【請求項８】
前記凸部には、前記凹部が形成されたクリップ及びクリップベース部の他方に近づくにつれて突出高さが漸次低くなる部分が形成されることを特徴とする請求項７記載のクリップ取付構造。
【発明の詳細な説明】
【技術分野】
【０００１】
本発明は、筆記具や化粧具等の被取付部材にクリップが取り付けられるクリップ取付構造に関する。
【背景技術】
【０００２】
従来、この種のクリップ取付構造においてクリップの挟み効果が改良されたものとして、特許文献１に記載されたものが知られている。これによれば、軸筒やキャップ等の筒体の表面側に略Ｕ字状挟みバネの一端側を固定し、挟みバネの他端側を筒体の表面に沿わしめ、クリップにおける筒体との対向面と、筒体におけるクリップの対向面とで形成される枢支部にクリップを枢支している。より具体的には、略Ｕ字状挟みバネの一端側は、筒体に形成された挿入孔に、筒体の頂部側から挿入されるようになっており、また、略Ｕ字状挟みバネの他端側は、クリップの裏側から表側に向って斜めに挿通される挿通孔に、挿入されるようになっている。
【０００３】
【特許文献１】特開２００１−１４６０９４号公報
【発明の開示】
【発明が解決しようとする課題】
【０００４】
しかしながら、特許文献１の構成では、挟みバネが略Ｕ字状をなしており、その両端部が同じ方向を向いているので、その組立に手間がかかり、生産効率が悪いという問題がある。
【０００５】
また、特許文献１の構成では、クリップと筒体との間に位置する略Ｕ字状挟みバネの基部が頂部の方向から明らかに露出されるために、見栄えが悪いという問題がある。即ち、略Ｕ字状挟みバネの基部と挟みバネの他端部がそれぞれ露出しているので、挟みバネの全体の形状が外部からほとんど認識できてしまい、見栄えが悪い。
【０００６】
本発明はかかる課題に鑑みなされたもので、組立が容易にでき、且つ見栄えを良好にすることができるクリップ取付構造を提供することをその目的とする。
【課題を解決するための手段】
【０００７】
上記目的を達成するために、本発明のうち請求項１記載の発明は、被取付部材に揺動可能なクリップが取り付けられるクリップ取付構造において、
クリップが被取付部材のクリップベース部に揺動可能に軸支されると共に、互いにほぼ直交する一端部と他端部とを備えるＬ字状弾性体の一端部がクリップを押圧可能にクリップに沿って設けられ、他端部が前記クリップベース部に固定されて、前記Ｌ字状弾性体の弾性力により、クリップの一端部と被取付部材との間で挟着力を発生させることを特徴とする。
【０００８】
請求項２記載の発明は、請求項１記載の前記Ｌ字状弾性体がクリップの表裏を貫通する貫通孔を通り、Ｌ字状弾性体の一端部はクリップの表側に形成されてクリップの長手方向に伸びる長溝内に収められることを特徴とする。
【０００９】
請求項３記載の発明は、請求項１記載の前記Ｌ字状弾性体の一端部が、クリップの裏側に形成されてクリップの長手方向に伸びる長溝内に収められることを特徴とする。
【００１０】
請求項４記載の発明は、請求項１ないし３のいずれか１項に記載の前記Ｌ字状弾性体の他端部が、クリップベース部に設けられた取付孔に挿入されることを特徴とする。
【００１１】
請求項５記載の発明は、請求項４記載の前記Ｌ字状弾性体の他端部の先端に折り返し部が形成されており、該折り返し部が前記取付孔に圧縮された状態で挿入されることを特徴とする。
【００１２】
請求項６記載の発明は、請求項５記載の前記折り返し部の先端が、取付孔に形成された係止段部に係止されることを特徴とする。
【００１３】
請求項７記載の発明は、請求項１ないし６のいずれか１項に記載の前記クリップベース部及びクリップのいずれか一方に凸部が形成され、他方には凹部が形成されて、該凸部と凹部との間の嵌合により、クリップがクリップベース部に軸支されることを特徴とする。
【００１４】
請求項８記載の発明は、請求項７記載の前記凸部に、前記凹部が形成されたクリップ及びクリップベース部の他方に近づくにつれて突出高さが漸次低くなる部分が形成されることを特徴とする。
【発明の効果】
【００１５】
本発明によれば、互いにほぼ直交する一端部と他端部とを備えるＬ字状弾性体の一端部をクリップに沿って設け、他端部をクリップベース部に固定する構成とすることで、簡単に組立作業を行なうことができる。他端部がクリップベース部に固定されることで外部に露出されないために、Ｌ字状弾性体はその全体形状が外部から認識されにくく、よって、見栄えを良好にすることができる。
【００１６】
クリップで物を挟むときには、Ｌ字状弾性体の弾性力に抗してクリップの一端部が被取付部材から離反するようにクリップを操作することで、クリップを大きく揺動することができ、且つクリップから力を解除すると、Ｌ字状弾性体の復元力によってクリップは反対方向に揺動して、クリップの一端部と被取付部材との間で挟着力を発生させるので、物を確実に挟み付けることができる。
【００１７】
請求項２記載の発明によれば、Ｌ字状弾性体の一端部はクリップの表側に形成された長溝内に収められるために、クリップの表側でクリップの一部として外部に露出してワンポイントとなって見栄えを向上させることができる。Ｌ字状弾性体の一端部が露出するだけであるので、Ｌ字状弾性体の全体形状は、使用者に意識させることがない。
【００１８】
請求項３記載の発明によれば、Ｌ字状弾性体の一端部はクリップの裏側に形成された長溝内に収められるために、外部に露出することがなく、Ｌ字状弾性体の存在自体を使用者に意識させることがない。
【００１９】
請求項４記載の発明によれば、Ｌ字状弾性体の他端部をクリップベース部の取付孔に挿入するだけでよいので、組立作業が容易になる。
【００２０】
請求項５記載の発明によれば、Ｌ字状弾性体の折り返し部の弾性力を、Ｌ字状弾性体のクリップベース部への取付力に利用することができる。
【００２１】
請求項６記載の発明によれば、折り返し部の先端が係止段部に係止されるために、Ｌ字状弾性体のクリップベース部への取付力をより強固にすることができる。
【００２２】
請求項７記載の発明によれば、凸部と凹部との嵌合により、クリップベース部にクリップが揺動可能に軸支されるために、Ｌ字状弾性体が破損した場合でも、クリップがクリップベース部から外れることがない。
【００２３】
請求項８記載の発明によれば、組立時に凸部を凹部に嵌合する際に、嵌合操作を容易にすることができる。
【発明を実施するための最良の形態】
【００２４】
以下、図面を用いて本発明の実施の形態を説明する。
図１は、本発明の第１実施形態に係るクリップ取付構造が適用される筆記具の全体図である。図において、１０はクリップが取り付けられる製品であり、この例では、筆記具であるが、化粧具その他の任意の製品とすることができる。製品１０は、詳細には、軸筒１２と、該軸筒１２内に収容された複数の筆記軸１４，１６と、筆記軸１４，１６の後端に取り付けられたスライダ１８，２０と、各筆記軸１４，１６の後部の周囲に巻回されるコイルスプリング２２，２４とから構成される。
【００２５】
軸筒１２は、前軸筒１２Ａ、後軸筒１２Ｂ、後軸筒１２Ｂ内で固定されたガイド筒１２Ｃ、前軸筒１２Ａのグリップ部分に設けられるグリップ部１２Ｄ、及び後軸筒１２Ｂの後端に設けられる尾栓１２Ｅを有している。前軸筒１２Ａと後軸筒１２Ｂは螺合等により着脱可能に連結される。ガイド筒１２Ｃは、複数の筆記軸１４，１６を仕切るためのものである。
【００２６】
筆記軸１４,１６のうちの一方の筆記軸１４は、この場合シャープペンシル軸であり、他方の筆記軸１６はボールペン軸となっているが、これに限るものではなく、任意の筆記軸の組み合わせが可能であり、筆記軸の本数も２本以上とすることができる。
【００２７】
筆記軸１４，１６に連結されるスライダ１８，２０の後部の一部は、それぞれ後軸筒１２Ｂに形成された軸孔１２ａから径方向に突出しており、軸孔１２ａを摺動可能となっている。いずれかのスライダが軸孔１２ａを前進すると、スライダは軸筒１２に係止可能となって、前進状態を維持するために、そのスライダに連結された筆記軸の先端は軸筒１２の先端から突出して使用に供される。
【００２８】
コイルスプリング２２，２４は、ガイド筒１２Ｃの段部とスライダ１８，２０との間に介挿されており、筆記軸１４，１５を常時後方に付勢している。
【００２９】
一つのスライダ１８に、本発明のクリップ取付構造が適用されてクリップ３０が取り付けられており、この実施形態の場合、スライダ１８に、クリップ３０が直接取付けられるクリップベース部１８ａが設けられている。そして、スライダ１８及び軸筒１２を含めた製品１０が被取付部材を構成する。
【００３０】
スライダ１８とクリップ３０との間には、Ｌ字状弾性体またはＬ字状バネであるＬ字状板バネ３２が設けられており、Ｌ字状板バネ３２の一端部３２ａがクリップ３０に沿って設けられ、Ｌ字状板バネ３２の他端部３２ｂがスライダ１８に固定される。
【００３１】
詳細には、図３及び図４に示したように、スライダ１８の後部は、その一部が軸孔１２ａから径方向に突出するクリップベース部１８ａを構成しており、クリップベース部１８ａには径方向に伸びる取付孔１８ｂが形成されている。また、取付孔１８ｂ内には係止段部１８ｃが形成されている。クリップベース部１８ａの取付孔１８ｂよりも前方には、両側に一対の凹部１８ｄが形成される。凹部１８ｄは円柱状の形状をなしている。
【００３２】
一方のクリップ３０の後部には表裏を貫通する貫通孔３０ａが形成されており、貫通孔３０ａの孔内の両側面には一対の円柱状の凸部３０ｂが形成されている。但し、凸部３０ｂは、図４（ｂ）に示すように、クリップ裏側に近い約半分の部分がテーパ面となっており、該テーパ面は凹部１８ｄの形成されたクリップベース部１８ａにより近づくに連れて漸次突起高さが低くなっている。貫通孔３０ａは、クリップ３０の表面において軸方向に伸びる長溝部３０ｃに連通している。クリップ３０の一端部となる前部の裏面には膨出部３０ｄが形成される。クリップ３０の他端部となる後部は若干、表側にやや反り返った操作部３０ｅとなっている。
【００３３】
Ｌ字状板バネ３２は、図５に示したように、金属製で一端部３２ａと他端部３２ｂとが互いに略直交しており、他端部３２ｂの先端は折り返された折り返し部３２ｃとなっている。また、一端部３２ａには僅かな曲率を設けるとよい。
【００３４】
以上のように構成されるクリップ取付構造において、クリップ３０をスライダ１８に組み立てるには、図６に示すように、クリップ３０をスライダ１８に接近させて、クリップ３０の凸部３０ｂをスライダ１８の凹部１８ｄに嵌合して、クリップ３０をスライダ１８のクリップベース部１８に取り付ける。このとき、凸部３０ｂのテーパ面によって容易に凹部１８ｄへの嵌合がなされるようになっている。次いで、Ｌ字状板バネ３２を、クリップ３０の表側から貫通孔３０ａに通して差込み、クリップ３０の他端部３２ｂをスライダ１８の取付孔１８ｂに押し入れる。これによって、他端部３２ｂの折り返し部３２ｃは、取付孔１８ｂで圧縮された状態となり、折り返し部３２ｃの先端が係止段部１８ｃに係止されて固定される。同時に、Ｌ字状板バネ３２の一端部３２ａは長溝部３０ｃに収まる。
【００３５】
これによってクリップ３０及びＬ字状板バネ３２がスライダ１８に取付けられ、クリップ３０とスライダ１８は凸部３０ｂと凹部１８ｄの嵌合部分を軸支部として回動可能に結合される。また、Ｌ字状板バネ３２によって、クリップ３０の膨出部３０ｄは軸筒１２に当接されるように付勢され、両者の間に挟着力が発生する。
【００３６】
Ｌ字状板バネ３２の一端部３２ａは、長溝部３０ｃ内において、主としてその軸支部に近い部分は長溝部３０ｃの底部から離反し、軸支部から遠い部分で長溝部３０ｃの底部に当接してクリップ３０へ荷重を作用させるようになっている。このように作用点を軸支部から遠い地点とすることによって、てこの原理により軽い荷重によってクリップ３０を付勢することができ、非揺動時と揺動時との力の差が小さくなり、板バネ３２のバネ力を十分に生かすことができる。
【００３７】
以上の組立に際して、スライダ１８を特別に位置決めする必要はないため、スライダ１８が筆記軸１４に連結されてその一部が軸筒１２内にある状態でも、簡単に組立作業を行うことができる。
【００３８】
以上のように組み立てられたクリップ取付構造において、図２に示すように、クリップ３０の後部の操作部３０ｅをスライダ１８及び軸筒１２の方に向かって押し付けると、前記軸支部を中心としてクリップ３０が揺動することができ、膨出部３０ｄが軸筒１２から離反することができるために、物をその間に挿入することができる。Ｌ字状板バネ３２の一端部３２ａは長溝部３０ｃ内で多少上下に変位する。クリップ３０の操作部３０ｅへの力を解除すると、Ｌ字状板バネ３２の復元力によって、膨出部３０ｄが軸筒１２へと当接する元の方向にクリップ３０が回転し、よって、挿入した物を確実に挟むことができる。
【００３９】
この実施形態では、図３（ｂ）に示すように、クリップ３０の長溝部３０ｃに収められたＬ字状板バネ３２の一端部３２ａが金属色を呈してクリップ３０の表側で外部に露出してワンポイントとなって高級感を与えるが、それ以外のクリップ３０の部分はほとんど見えないようになっている。つまり、Ｌ字状板バネ３２を意識させることがないので、見栄えの良いものとなっている。
【００４０】
さらには、凸部３０ｂと凹部１８ｄとが嵌合しているために、Ｌ字状板バネ３２が破損しても、クリップ３０と被取付部材との間の連結は保持される。
【００４１】
次に、図７は、スライダとクリップとの間のクリップ取付構造の第２実施形態を表す。この例では、クリップ３０の貫通孔３０ａは省略可能で、クリップ３０の裏面に長溝部３０ｃが形成されており、長溝部３０ｃの後部の両側面に凸部３０ｂが形成されている。
【００４２】
この例の組立においては、まず、クリップ３０の長溝部３０ｃにＬ字状板バネ３２の一端部３２ａを差込み、次いで、クリップ３０とＬ字状板バネ３２を一緒にスライダ１８に接近させて、Ｌ字状板バネ３２の他端部３２ｂを、スライダ１８の取付孔１８ｂに押し入れる。これによって、他端部３２ｂの折り返し部３２ｃは、取付孔１８ｂで圧縮された状態となり、折り返し部３２ｃの先端が係止段部１８ｃに係止されて固定される。同時に、クリップ３０の凸部３０ｂがスライダ１８の凹部１８ｄに嵌合する。
【００４３】
この例では、Ｌ字状板バネ３２が露出しないために、外観上、使用者にＬ字状板バネ３２の存在自体を意識させることはないが、クリップ３０を揺動させたときにはＬ字状板バネ３２の復元力により、良好な操作感を使用者に与えることができる。
【００４４】
また、Ｌ字状板バネ３２に影響を受けることなく、クリップ３０の形状を所望の形状とすることにより、見栄えを良好にすることができる。
【００４５】
また、この実施形態においても、Ｌ字状板バネ３２が長溝部３０ｃ内において、軸支部から遠い部分で長溝部３０ｃの(上方に位置する)底部に当接してクリップ３０へ荷重を作用させるようになっている。このように作用点を軸支部から遠い地点とすることによって、てこの原理により軽い荷重によってクリップ３０を付勢することができ、非揺動時と揺動時との力の差が小さくなり、板バネ３２のバネ力を十分に生かすことができる。
【００４６】
図８は、スライダとクリップとの間のクリップ取付構造の第３実施形態を表す。この例では、クリップ３０の凸部３０ｂが貫通孔３０ａよりも後方にある例であり、組立は、図６と同じ手順で行うことができる。この例では、クリップ３０の物を挟む側の長さを長くとることができ、Ｌ字状板バネ３２の一端部３２ａの長さも長くとることができて、柔らかい感触を与えることができる。
【００４７】
図９は、スライダとクリップとの間のクリップ取付構造の第４実施形態を表す。この例では、Ｌ字状板バネ３２とする代わりにＬ字状丸棒バネ３２−１を使用した例である。この場合には、Ｌ字状丸棒バネ３２−１の他端部３２ｂを、スライダ１８のクリップベース部１８ａの取付孔１８ｂに圧入することにより、Ｌ字状丸棒バネ３２−１を被取付部材に固定している。
【００４８】
図１０は、スライダとクリップとの間のクリップ取付構造の第５実施形態を表す。この例では、Ｌ字状板バネ３２の他端部３２ｂに折り返し部を設ける代わりに、他端部３２ｂに凹凸を設けて、その凹凸付きの他端部３２ｂをスライダ１８のクリップベース部１８ａの取付孔１８ｂに圧入することにより、Ｌ字状板バネ３２を被取付部材に固定している。または、図１０の変形例として、図１３に示したように、他端部３２の両側部に鋸状の凹凸を設けて、その凹凸付きの他端部３２ｂをスライダ１８のクリップベース部１８ａの取付孔１８ｂに圧入することにより、Ｌ字状板バネ３２を被取付部材に固定することも可能である。
【００４９】
図１１は、スライダとクリップとの間のクリップ取付構造の第６実施形態を表す。この例では、Ｌ字状板バネ３２の他端部３２ｂの折り返し部３２ｃを、一端部３２ａ側と反対の反一端部側に折り返した例である。この折り返し部３２ｃに合わせて、スライダ１８のクリップベース部１８ａの取付孔１８ｂの反一端側に係止段部１８ｃが形成されている。係止段部１８ｃの段部の高さを確保することにより、強度を持たせることができる。
【００５０】
以上の例の他、様々な変形が可能である。
・係止段部１８ｃを省略して、バネ３２の他端部３２ｂの折り返し部３２ｃの弾性力で取付孔１８ｂに取付けることも可能である。但し、取付強度を高めるには、係止段部１８ｃを設けてその段部の高さを高くすることが望ましい。
または、取付孔１８ｂにバネ３２の他端部３２ｂを係止若しくは圧入する代わりにまたは係止若しくは圧入に加えて接着剤による接着を行なうこともできる。
【００５１】
・クリップ３０に凸部３０ｂ、クリップベース部１８ａに凹部１８ｄを設けていたが、クリップに凹部、クリップベース部に凸部を設けることも可能である。また、凸部３０ｂ、凹部１８ｄは円柱形状をなしていたが、これに限るものではなく、凹部を角形状の穴とし、その穴の中に円柱状の凸部を嵌合するようにしてもよい。
・スライダ１８にクリップベース部１８ａを設けたが、これに限るものではなく、図１２に示したように、被取付部材である製品の任意の部分にクリップベース部を設けることが可能である。
【図面の簡単な説明】
【００５２】
【図１】本発明の第１実施形態に係るクリップ取付構造が適用される筆記具の内部構造を表す全体図である。
【図２】図１の筆記具において、クリップが揺動された状態の全体図である。
【図３】クリップ取付構造を示す図であり、（ａ）はクリップを断面として側方から見た図、（ｂ）は平面図である。
【図４】クリップ取付構造を示す図であり、（ａ）は縦断面図、（ｂ）は４ｂ−４ｂ線に沿って見た断面図、（ｃ）は４ｃ−４ｃ線に沿って見た断面図である。
【図５】Ｌ字状板バネの斜視図である。
【図６】クリップ取付構造の組立手順を表す断面図である。
【図７】クリップ取付構造の第２実施形態を表す図であり、（ａ）は縦断面図、（ｂ）は揺動時の図である。
【図８】クリップ取付構造の第３実施形態を表す図であり、（ａ）は縦断面図、（ｂ）は揺動時の図である。
【図９】クリップ取付構造の第４実施形態を表す図であり、（ａ）は縦断面図、（ｂ）は平面図である。
【図１０】クリップ取付構造の第５実施形態を表す図であり、（ａ）は縦断面図、（ｂ）はＬ字状板バネの斜視図、（ｃ）はＬ字状板バネの断面図である。
【図１１】クリップ取付構造の第６実施形態を表す縦断面図である。
【図１２】クリップ取付構造が被取付部材の別の部分に設けられた例を示す全体図である。
【図１３】Ｌ字状板バネの他の例を表す斜視図である。
【符号の説明】
【００５３】
１０  製品（被取付部材）
１８  スライダ（被取付部材）
１８ａ  クリップベース部
１８ｂ  取付孔
１８ｃ  係止段部
１８ｄ  凹部
３０  クリップ
３０ａ  貫通孔
３０ｂ  凸部
３０ｃ  長溝部
３２  Ｌ字状板バネ（Ｌ字状弾性体）
３２−１  Ｌ字状丸棒バネ（Ｌ字状弾性体）
３２ａ  一端部
３２ｂ  他端部
３２ｃ  折り返し部
【図１】
2007230053.tif 000003
【図２】
2007230053.tif 000004
【図３】
2007230053.tif 000005
【図４】
2007230053.tif 000006
【図５】
2007230053.tif 000007
【図６】
2007230053.tif 000008
【図７】
2007230053.tif 000009
【図８】
2007230053.tif 000010
【図９】
2007230053.tif 000011
【図１０】
2007230053.tif 000012
【図１１】
2007230053.tif 000013
【図１２】
2007230053.tif 000014
【図１３】
2007230053.tif 000015